Podtech/llm-jp-corpus-v4-ja_patent huggingface dataset:
(57)【要約】      （修正有）【課題】チェック柄の学生服用スカートに関し、縦柄が表のヒダに沿って綺麗に揃うことができる学生服用スカートを提供する。【解決手段】表ヒダと奥ヒダの寸法を予め計算して生地を作成すると、特に縦柄が表のプリーツに綺麗に揃うことを見いだし、視認性に優れた学生服用スカートを提案することができた。【選択図】図１
0003117908.tif 000002
【実用新案登録請求の範囲】
【請求項１】
チェック柄のスカートにおいて、ヒダつき身頃において表ヒダに沿って縦柄が平行に配置されると共に、横柄が同一間隔でなく間隔幅を変えながら任意の箇所において縦柄と交差することに特徴を有する学生服用スカート。
【請求項２】
チェック柄のスカートにおいて、ウエスト部において縦柄を横方向に配置し、ヒダつき身頃において表ヒダに沿って縦柄が平行に配置されると共に、横柄が同一間隔でなく間隔幅を変えながら任意の箇所において縦柄と交差することに特徴を有する学生服用スカートである。
【考案の詳細な説明】
【技術分野】
【０００１】
本考案は、チェック柄の学生服用スカートに関し、さらに詳しくは、縦柄が表のヒダに沿って綺麗に揃うことができる学生服用スカートである。
【背景技術】
【０００２】
一般に学生用のスカートは、一般に紺色系統の単一色のスカートが主流であるが、近年、私立学校等においては学校毎のデザインによる独自のスカートも増加傾向にある。
【０００３】
従来のスカートにおいて、チェック柄を用いるスカートも知られているが、この場合、これらのスカートにおいては縦柄と横柄とを同じ間隔幅で繰り返すことでしか製造することができなかった為に、出来上がったスカートは特に縦線が不揃いで見た目にも物足りなかった。
【考案の開示】
【考案が解決しようとする課題】
【０００４】
従来のチェック柄のスカートは、上述のようにプリーツを折った時に表ヒダの部分に均等にチェックの柄が出にくいという欠点があり、また、縦柄及び横柄も同じ間隔幅でしか表示できない為に意匠的にも問題があった。
【課題を解決するための手段】
【０００５】
本考案者は斯かる課題を解決するために鋭意研究したところ、表ヒダと奥ヒダの寸法を予め計算して生地を作成すると、特に縦柄が表のプリーツに綺麗に揃うことを見いだし、本考案に係る学生服用スカートを提案することができた。
【０００６】
すなわち本考案の第一は、チェック柄のスカートにおいて、ヒダつき身頃において表ヒダに沿って縦柄が平行に配置されると共に、横柄が同一間隔でなく間隔幅を変えながら任意の箇所において縦柄と交差することに特徴を有する学生服用スカートである。
【０００７】
本考案の第二は、チェック柄のスカートにおいて、ウエスト部において縦柄を横方向に配置し、ヒダつき身頃において表ヒダに沿って縦柄が平行に配置されると共に、横柄が同一間隔でなく間隔幅を変えて任意の箇所において縦柄と交差することに特徴を有する学生服用スカートである。
【考案の効果】
【０００８】
本考案に係る学生服用スカートは、プリーツを折った時に表ヒダの部分に均等に縦柄や横柄が出るために視認性に優れており、また種々の柄を用いることができるために応用範囲の広いスカートを提供できるものである。
【０００９】
また、この学生服用スカートは、従来のチェック柄スカートにおいては縦柄及び横柄を同じ間隔幅でしか繰返しができなかったものを、特に横幅を任意の幅で示すことができるようにしたためカラフルなチェック柄を提供できるようになっている。  
【考案を実施するための最良の形態】
【００１０】
以下、図面を参照に本考案の学生服用スカートの詳細を説明するが、本考案の範囲はこれらに限定されるものではない。
【実施例１】
【００１１】
図１は、本考案の学生服用スカートの全体を示す正面図である。このスカートは身頃１とベルト部２とから構成され、２０ヒダを有するものである。
【００１２】
上記スカートにおいては、一例であるがベルト部２の縦幅が３ｃｍであり、身頃２の縦幅が４５ｃｍとなるように逢着してあり、また、ベルト部２には、縦紋３が横になるように配置し、逆に横紋４が縦状に配置されている。
【００１３】
図２は、図１の部分拡大図である。図２におけるベルト部２の縦紋３は、ベルト部の中心に横状に配置され、横紋４は５ｃｍ間隔幅で縦状に配置されているが、この間隔幅は縦紋及び横紋の形状によって自由に幅を変えうることは当然である。
【００１４】
図３は、図２の縦柄及び横柄を用いた学生服用スカートの全体を示す正面図である。この場合、１００％ウール製で焦げ茶色の生地に縦柄として約２ｃｍ幅の間に４本の縦線（赤・白・白・赤）を並列に設け、さらにこれらの両側を白線で囲むようにした。
【００１５】
横柄として、上記縦柄と同じ色の６本の線を用い、裾部からベルト部にかけて８ｃｍ、４ｃｍ、４ｃｍの間隔を開けて配置し、縦柄と横柄とが交差するようにした。
【実施例２】
【００１６】
図４は、別な柄を用いた学生服用スカートの全体を示す正面図である。この場合、１００％ウール製で焦げ茶色の生地に縦柄として約１ｃｍ幅の緑線と約１ｃｍ幅の間に幅の異なる３本の赤線とを並列に設けた。
【００１７】
横柄として、上記縦柄と同じ色の線を用い、裾部からベルト部方向に約１１ｃｍの位置から上に赤線、緑線、赤線、緑線という順に配置し、縦柄と横柄とが交差するようにした。
【００１８】
上記実施例においては、縦柄及び横柄の色彩や線幅等を限定しているが、同じ模様であっても色彩を変えることは当然可能であり、又、線幅、横柄の位置を任意に代えうることができるものである。
【図面の簡単な説明】
【００１９】
【図１】本考案の学生服用スカートの全体を示す正面図である。
【図２】図１の部分拡大図である。
【図３】図２の縦柄及び横柄を用いた学生服用スカートの全体を示す正面図である。
【図４】別な柄を用いた学生服用スカートの全体を示す正面図である。
【符号の説明】
【００２０】
１・・・身頃
２・・・ベルト部
３・・・縦紋
４・・・横紋
【図１】
0003117908.tif 000003
【図２】
0003117908.tif 000004
【図３】
0003117908.tif 000005
【図４】
0003117908.tif 000006
(57)【要約】【課題】    運転者の感謝の意思を後続車に伝えるため、ハザードランプを点灯するなど、本来の使用方法とことなる行為の解消。【解決手段】    自動車のリアガラスに取り付けている初心者マーク、メッセージボード等の案内標識と組み合わせることにより後方の視界を妨げずに、運転者がスイッチを押すことにより、一定の時間マーク、メッセージ等が点灯、点滅し、運転者の現在の意思を後続車に伝えることができることができる。【選択図】      図２
0003117901.tif 000002
【実用新案登録請求の範囲】
【請求項１】
自動車のリアガラスに取り付けている初心者マーク、メッセージボード等の案内標識との組み合せを特徴とし、通常は初心者マーク、メッセージボード等の案内標識であるが、運転者がスイッチを押すことにより、一定の時間マーク、メッセージ等が点灯、点滅し運転者の現在の意思を後続車に伝えることができる案内標識。
【考案の詳細な説明】
【技術分野】
【０００１】  本考案は、自動車内で使用する案内標識に関する。
【背景技術】
【０００２】  従来の標識は、後続車のライトの反射発光を利用し、記載されているメッセージ、マーク等を後続車に視認させる物で、後続車に対し運転者の現在の意思を伝えることが出来ない標識である。
【考案の開示】
【考案が解決しようとする課題】
【０００３】  これでは、運転者の現在の意思を後続車に対して伝えることができないため、渋滞中の車線変更後等に運転者の感謝の意思を後続車に伝えるため、ハザードランプを点灯するなど、本来の使用方法とことなる行為をしなければ伝えることができない。
【課題を解決するための手段】
【０００４】  そこで、自動車のリアガラスに取り付けている初心者マーク、メッセージボード等と組み合せ、通常は初心者マーク、メッセージボード等（図１）であるが、運転者がスイッチを押すことにより、一定の時間マーク、メッセージ等が点灯、点滅（図２）し運転者の現在の意思を後続車に伝える。
【考案の効果】
【０００５】  よって、本考案の従来からある案内標識等を利用することにより、後方の視界を妨げずに、ハザードランプを点灯する等の、本来の使用方法とことなる行為をせずに、後続車に対し運転者の感謝の意思を伝えることができ、譲り合いの精神と相手を思いやる安全運転の心が育つことに役立つことが出来る。
【考案を実施するための最良の形態】
【０００６】  図１は、自動車のリアガラスに吸盤等で取り付ける、初心者マーク、メッセージボード等である。【０００７】  図２は、運転者がスイッチを押しタイマーにより一定の時間点灯、点滅するメッセージ、感謝マーク等である。スイッチを押し点灯、点滅した時のみメッセージ、感謝マークが後続車に見え、通常メッセージ、感謝マーク等は見えない。【０００８】  点灯式標識をリアガラスに固定する物は、吸盤、粘着板等により取り付ける。【０００９】  点灯、点滅する電球は視認が高まるものであれば良く、発光ダイオード等を使用しても良い。
【図面の簡単な説明】
【００１０】
【図１】  自動車のリアガラスに取り付ける初心者マーク（案内標識）である。
【図２】  本考案の案内標識で、運転者がスイッチを押し、一定の時間タイマーにより点灯、点滅した状態である。
【図３】  本考案の案内標識の断面図である。
【符号の説明】
【００１１】  １    初心者マーク（案内標識）
２    吸盤
３    自動車のリアガラス
４    メッセージが点灯、点滅している状態
５    タイマー付スイッチ
【図１】
0003117901.tif 000003
【図２】
0003117901.tif 000004
【図３】
0003117901.tif 000005
(57)【要約】      （修正有）【課題】コーナでのクラシュ等で競技車どうしの損傷などのトラブル等を防止する。【解決手段】RCオンロードカー用サーキットで走行する路面に上下複数段の走行路面を設け各コーナーには複数個所に傾斜面を設け、コーナーには水平路面がありクラッシュ等の発生時には水平路面を使い前進、後退を繰り返しサーキットに復帰でき競技の継続ができる事が、立体式サーキットの特徴でもある、スムーズなコーナリング、高速走行ができる、従来のオンロード用サーキットは平らな舗装の上にサーキットにみたてる為に木材、ブロック等を利用してサーキットにみたてて競技を行う。【選択図】図１
0003117495.tif 000002
【実用新案登録請求の範囲】
【請求項１】
競技用オンロード、カーが走行する路面に上下複数段の走行路面を設けた事を特徴とする、模型であるラジオコントロール、カーオンロード競技用立体式サーキット。
【請求項２】
競技用オンロード、カーが走行する走行路面の各コーナーの複数個所に傾斜面を設けた事を特徴とする、請求項１記載の模型であるラジオコントロール、オンロード競技用立体式サーキット。
【請求項３】
傾斜面内側の各コーナーに水平平行路面を設け走行路面の左右側面に複数個所に衝撃をやわらげるための構造とした事が特徴である、請求項２記載の模型であるラジオコントロール、オンロード競技用立体式サーキット。
【考案の詳細な説明】
【技術分野】
【０００１】
本考案は、RCオンロードカー競技用立体式サーキットで考案の特徴である上下複数段の走行路面を設け、コーナーには複数個所に傾斜面と水平平行走行路面を設けてあるので安定した走行ができる。
【背景技術】
【０００２】
従来のRCオンロードカー競技用サーキットは平らな舗装の上にコースを形どるために木材、ブロック等を並べた競技用コースでレースをしてきた、コーナーでは多くの競技車がクラッシュなどで競技車の損傷も多くサーキットの改良が不可欠で競技車の損傷等は減少したい、本考案サーキットでは上記の問題点は解決できるのが特徴である。
【考案の開示】
【考案が解決しようとする課題】
【０００３】
本考案のRCオンロードカーではコーナーでのクラシュ等で競技車どうしの損傷などのトラブル等を解決防止する事ができる。
【課題を解決するための手段】
【０００４】
RCオンロードカー競技用立体式サーキットであるので走行路に上下複数段に走行路面を設け、コーナーに断面図で示す複数個所の傾斜面を設けるとともに水平平行走行路面を設ける事で高速走行ができる、各コーナーに断面図で示す構造の上下複数段、複数個所に傾斜面を設け水平走行路面を設けることでクラッシュ等の問題を解決したのが特徴で課題の解決する手段とする。
【考案の効果】
【０００５】
各コーナーに傾斜面を設ける事で高速走行ができクラッシュなどによるRCオンロードカーの損傷を最小限におさえる事ができる、立体式サーキットであるので走行路面の幅を広く設ける事ができ一度に複数の競技車を同時にスタートできる、各コーナーの傾斜面内側に水平走行路面を設けてありクラッシュしても前進、後退を繰り返しサーキットコースに戻る事ができ競技の継続が繰り返し行える。
【考案を実施するための最良の形態】
【０００６】
RCオンロードカー競技用立体式サーキットであり特徴を生かすためサーキット本体は固定した構造とし走行路面の左右側面に衝撃を和らげる構造とした、傾斜面を設ける事でスムーズな高速走行ができコーナーでのクラッシュ等で競技車どうしの損傷等を最小にとどめる事ができる。
【図面の簡単な説明】
【０００７】
【図１】RCオンロードカーサーキット左回り全体平面、符号記入図である。
【図２】図１のA−Aは断面図である。
【図３】図１のB−Bは傾斜断面図である。
【図４】図１のC−Cは傾斜断面図である。
【図５】図１のD−Dは傾斜断面図である。
【図６】図１のE−Eは直線断面図である。
【図７】図１のF−Fは直線断面図である。
【図８】図１のG−Gは傾斜断面図である。
【図９】図１のH−Hは傾斜断面図である。
【図１０】図１のI−Iは断面図である。
【符号の説明】
【０００８】
１    平行路面
２    RCオンロードカーサーキット進入路
３    走行傾斜路面
４    走行傾斜路面
５    走行傾斜路面
６    走行傾斜路面
７    走行傾斜路面
８    走行傾斜路面
９    直線走行路面
１０    直線走行路面
１１    直線走行路面
１２    直線走行路面
１３    ピットイン進入路
１４    走行傾斜路面
１５    走行傾斜路面
１６    ピットイン走行路面
１７    走行傾斜路面
１８    走行傾斜路面
２０    ピット進入路
２１    競技車進行方向（左回り）
【図１】
0003117495.tif 000003
【図２】
0003117495.tif 000004
【図３】
0003117495.tif 000005
【図４】
0003117495.tif 000006
【図５】
0003117495.tif 000007
【図６】
0003117495.tif 000008
【図７】
0003117495.tif 000009
【図８】
0003117495.tif 000010
【図９】
0003117495.tif 000011
【図１０】
0003117495.tif 000012
(57)【要約】      （修正有）【課題】体温により発生する遠赤外線がそれが人体の皮下に浸透して細胞を共振させ、熱を発生させて身体を温める軟性ゴム材料を提供する。【解決手段】軟性ゴム材料１は、円筒状に形成されると共に遠赤外線発生源の粉末材料が含浸されている。【選択図】図１
0003117498.tif 000002
【実用新案登録請求の範囲】
【請求項１】
円筒状に形成されると共に遠赤外線発生源の粉末材料を含浸させたことを特徴とする軟性ゴム材料。
【請求項２】
内径の異なる複数を組とすることを特徴とする請求項１に記載の軟性ゴム材料。
【請求項３】
前記遠赤外線発生源の粉末材料は、緑色片岩又は備長炭の何れかであることを特徴とする請求項１又は請求項２に記載の軟性ゴム材料。
【考案の詳細な説明】
【技術分野】
【０００１】
本考案は、円筒形状に形成された軟性ゴム材料に関するものである。
【背景技術】
【０００２】
【特許文献１】特開２００１−２６９３６１号公報
【０００３】
男性週刊誌等に寄せられる性に関する相談の中に、陰茎が短小なことで深刻に悩んでいる人が多く見受けられる。
【０００４】
このような陰茎短小の悩みを医療的に解決する場合は、一般に、成形外科手術によりシリコンのような異物を陰茎に注入するなどの処置が採られている。しかしながら、成形外科手術による場合は、高価な手術費用が必要となるうえ、合併症の発生などの危険も伴うという問題もある。
【０００５】
そこで、陰茎の先端寄りに巻き付けられる装着帯と、脚部に巻き付けられる支持部材と、これら装着帯と支持部材とを連結して陰茎を引張矯正する弾性的に伸縮可能な引張部材とを備えた強制具が知られている（例えば、特許文献１参照。）。
【考案の開示】
【考案が解決しようとする課題】
【０００６】
ところで、上記の如く構成された強制具にあっては、包皮の外側に装着帯を巻き付けた状態で引張矯正するため、装着帯が抜け易いという問題が生じていた。
【０００７】
本考案は、上記問題を解決するため、陰茎からの脱落を防止しつつ陰茎の矯正を可能とした軟性ゴム材料を提供することを目的とする。
【課題を解決するための手段】
【０００８】
その目的を達成するため、請求項１に記載の軟性ゴム材料は、円筒状に形成されると共に遠赤外線発生源の粉末材料を含浸させたことを特徴とする。
請求項２に記載の軟性ゴム材料は、内径の異なる複数を組とすることを特徴とする。
請求項３に記載の軟性ゴム材料は、前記遠赤外線発生源の粉末材料は、緑色片岩又は備長炭の何れかであることを特徴とする。
【考案の効果】
【０００９】
本考案の軟性ゴム材料によれば、軟性ゴム材料を陰茎に装着することにより、陰茎がゴムの締め付け力により引き伸ばされ、陰茎矯正を行うことができる。
この際、遠赤外線は体温により発生し、それが人体の皮下に浸透して細胞を共振させ、熱を発生させて身体を温めるという特性を持っているので、所要部分を加温して血行を促進するので、矯正効果を向上させることができる。
【考案を実施するための最良の形態】
【００１０】
次に、本考案の軟性ゴム材料を図面に基づいて説明する。
図１は本考案の軟性ゴム材料の斜視図である。
【００１１】
図１に示すように、軟性ゴム材料１は、円筒形状に形成されており、その成形時には緑色片岩や備長炭などの粉末を練りゴム材料中に含浸させたうえで押出成形し、所望の幅にてカットすることで形成される。
【００１２】
尚、粘性ゴム材料１として使用される原材料としては、天然ゴム（ＮＲ）、ウレタンゴム（Ｕ）、シリコーンゴム（Ｓｉ）、フッ素ゴム （ＦＰＭ）等を主成分とし、必要に応じてこれらのゴム原材料若しくは他のゴム原材料を合成したものが用いられる。
【００１３】
また、軟性ゴム材料１の幅Ｌは１０ｍｍ〜２０ｍｍ、内径Ｗは２０ｍｍ〜３０ｍｍである。この際、内径Ｗの異なるものを複数用意（例えば、内径Ｗ＝２２，２４，２６，２８ｍｍの４種類）しても良い。
【００１４】
図２は、このような軟性ゴム材料１の製造工程を示す説明図である。
図２に示すように、先ず、所定の材料（セプトンエラストマーと美水石パウダー）とを別々に計量する。尚、ここでの美水石パウダーとは、Ｍｎ含有の鉱石粒とＭｎ非含有の鉱石粒とを所定の配合にてパウダー化したものである。
【００１５】
次に、これら計量後の材料を配合（攪拌）した後、射出成型機に所定形状の金型をセットし、その金型内に材料を供給する。
成型後の軟性ゴム材料１は、離型後に取り出して所定個数（出荷個数）毎に梱包して出荷される。尚、この梱包前には、製品チェックを行う。
【００１６】
このような構成においては、例えば、図３に示すように、陰茎２の根本側から陰茎２の長さに応じた数の軟性ゴム材料１を複数装着する。この際、陰茎２の亀頭２ａは露出したままとする。また、陰茎２の先端に向うほど内径Ｗが小径となるように順次組み合わせて使用することにより、陰茎２の引き伸ばし効果を促進することができるうえ、軟性ゴム材料１に含浸された遠赤外線発生源の粉末材料による発熱効果との相乗効果により、より一層、陰茎２の引き伸ばし効果を向上させることができる。
【００１７】
ところで、本考案の粘性ゴム材料１は遠赤外線発生源の粉末材料を含浸させて発熱効果を具備しているため、例えば、図４に示すように、人体の足３の親指３ａなどに装着することによって血行を促進し、疲労回復効果を期待することができる。
【図面の簡単な説明】
【００１８】
【図１】本考案の実施の形態に係わる軟性ゴム材料の斜視図である。
【図２】本考案の実施の形態に係わる軟性ゴム材料の製造工程を示す説明図である。
【図３】本考案の実施の形態に係わる軟性ゴム材料を示し、陰茎に装着した状態の説明図である。
【図４】本考案の実施の形態に係わる軟性ゴム材料を示し、足の親指に装着した状態の説明図である。
【符号の説明】
【００１９】
１…粘性ゴム材料
２…陰茎
２ａ…亀頭
３…足
３ａ…親指
【図１】
0003117498.tif 000003
【図２】
0003117498.tif 000004
【図３】
0003117498.tif 000005
【図４】
0003117498.tif 000006
(57)【要約】      （修正有）【課題】捻りの作用を利用して緩み、脱落を防止できるかんざしを従来の装着方法と同様に装着でき、軽量性と製造容易性に優れた魚状かんざしを提供する。【解決手段】弾性のある鉄又は樹脂の線１を湾曲させ、ペンチなどで中央部を押え矢印方向に鋭角に屈曲させることにより、２箇所の交差部を作り、捻れる形状にした。【選択図】図３
0003117432.tif 000002
【実用新案登録請求の範囲】
【請求項１】
主に鉄又は樹脂からなる湾曲させた線を屈曲させ、線の足を２度交差させることにより中央部を髪を挟み込む口蓋形状にし、尾ひれ部Ｂに装飾体を装着する取り外し可能な取付金具６，７などを取り付けるようにした魚型かんざしである。
【考案の詳細な説明】
【技術分野】
【０００１】  本考案は、鉄又は樹脂からなる魚型かんざしに関する。
【背景技術】
【０００２】  １本足又は２本足の木製又は鉄製かんざしは、古来より現代まで一般に知られている。
【考案の開示】
【考案が解決しようとする課題】
【０００３】  しかし従来のかんざしは、束ねた或いは結い上げた髪に挿しただけで、髪に止まる形状ではなく、人が動作したり、頭を下げたり、動かしたりした場合、或いは少し重い装飾体を付けた場合などに外れ、落ちる事態が生じ、頭髪に装着状態時に気を付けて置かなければならず、人の動作にも影響するなどの欠点があった。
【課題を解決するための手段】
【０００４】  本考案は、鉄又は樹脂からなる湾曲させた線を屈曲させ、２度交差させ中央部に髪の束を挟み込める魚型形状にした事により、外れる、落ちるなどの上記課題を解決するものである。
【考案を実施するための最良の形態】
【０００５】樹脂は鋳出成型なので、ここでは鉄線加工だけにし、図１に示すように湾曲させた鉄線１の中央部をペンチなどで押さえ、左右均等に伸びた線２，３を図１の矢印方向に屈曲角度を均等にする様に折り曲げ、２箇所の交差を作り、くちばし部Ａが出来る図２の状態まで屈曲し形状を完成させ、後処理として先端部５の２箇所を溶融し丸玉状にする。【０００６】上記工程により完成した魚型かんざしは、図３に示すように束ねた髪に挿した場合かんざしのくちばし部Ａに髪が当たると、線の湾曲と交差させた捻りの作用により、自然にかんざしに回転が生じ、髪の束の外側を滑り、髪の束５を中央の口蓋部に挟み込んで挿し止まり、この状態において、髪の束を解くか、かんざしを引き抜かない限り、かんざしが外れたり落ちたりしない。【０００７】図４は魚型かんざしに装飾体を装着する為の取付部品６であり、鉄からなる線の頭部を円形の２重螺旋にして、２本足端部を図３の尾ひれ部Ｂの穴部に引っ掛けて固定させ、装飾体は円形の２重螺旋にテグス又は細鉄線にて取り付け、図５も魚型かんざしに装飾体を装着する為の取付部品７であり、鉄からなる凸状板部品で、左右の突起部を魚型かんざしの足部に巻き固定させ、中央部の突起部を折り曲げて装飾体を取り付ける。
【考案の効果】
【０００８】本考案に係る魚型かんざしは、形状から生じる捻れる特性を生かし、外れない落ちないかんざしにして、従来のかんざしと同じ使用方法で装着でき、形状も簡単な湾曲、屈曲で容易に製造もでき、装飾体も図６，７などの取り付け金具により簡単に取り付けができ、軽量かつ実用性に優れたものである。
【図面の簡単な説明】
【０００９】
【図１】  本考案に係る魚型かんざしの製造における工程図である。
【図２】  本考案に係る魚型かんざしの製造における完成工程図である。
【図３】  本考案に係る魚型かんざしの完成図で、装着時の状態図である。
【図４】  本考案に係る魚型かんざしに装飾品を取り付けるための金具６である。
【図５】  本考案に係る魚型かんざしに装飾品を取り付けるための金具７である。
【符号の説明】
【００１０】  １・・・鉄線本体
２、３・・・鉄線両端部
４・・・丸状溶融部
５・・・髪の毛
６、７・・・装飾体取付金具
Ａ・・・くちばし部
Ｂ・・・尾ひれ部
【図１】
0003117432.tif 000003
【図２】
0003117432.tif 000004
【図３】
0003117432.tif 000005
【図４】
0003117432.tif 000006
【図５】
0003117432.tif 000007
(57)【要約】【課題】鳥獣がごみを散らかすことによる悪臭や衛生面での問題を解決する。また、取り扱いを簡単にすることで、利用者及び回収者の負担を軽減する一方、道路での使用面積を最小にし、交通の妨げとならないようにする。【解決手段】カラスの口ばしが入らない大きさの網目を有するネットで作った袋と、その開口部を絞って閉じる一本の紐とよりなり、かつ、前記紐は、開口部に一定の間隔で取り付けた金属製のリングに挿通されており、紐の両端部には、これらを任意の位置で固定するスライド可能な位置決め具が取り付けられている鳥獣よけごみ袋。【選択図】図１
0003117436.tif 000002
【実用新案登録請求の範囲】
【請求項１】
カラスの口ばしが入らない大きさの網目を有するネットで作った袋と、その開口部を絞って閉じる一本の紐とよりなり、かつ前記ひもは、開口部に一定の間隔で取り付けた金属製のリングに挿通されており、紐の両端部には、これらを任意の位置で固定するスライド可能な位置決め具が取り付けられていることを特徴とする鳥獣よけごみ袋。
【考案の詳細な説明】
【技術分野】
【０００１】本考案は鳥獣よけごみ袋に関するものである。
【背景技術】
【０００２】
【鳥獣よけごみボックスの場合】
（１）底の部分のすき間から鳥獣がごみを引き出す。
（２）常設のため、町の美観を損ない邪魔になる。
（３）生ごみの汁が出た場合、掃除がしにくく不衛生である。
（４）少人数の場合、スペースに無駄が出来不向きである。
（５）高価である。
【鳥獣よけネットカバーの場合】
（１）一回一回ネットをめくり上げ回りの重しを除けたり、戻したりしなければならない。
（２）回りにすき間が多いので、鳥獣はごみを簡単に引っ張り出す。
（３）使い終わった後、道に大きく広がり始末に困る。
【考案の開示】
【考案が解決しようとする課題】
【０００３】（１）鳥獣がごみを散らかすことにより悪臭がでたり、不衛生になるのを解決する。
（２）現在の鳥獣よけネットカバーは、身長の何倍もあり大きく広げるにもたたむにも容易ではない。その上、砂や水を入れたたくさんの重いペットボトルで押さえている。このようなことをしなくて済むようにする。
（３）利用者及び回収者の負担を軽減する。
（４）道路の占有スペースを出来るだけ最小にし、交通の妨げとならないようにする。
【課題を解決するための手段】
【０００４】  上記課題を解決するために、本考案が提供する鳥獣よけごみ袋は、カラスの口ばしが入らない大きさの網目を有するネットで作った袋と、その開口部を絞って閉じる一本の紐とよりなり、かつ、前記紐は、開口部に一定の間隔の取り付けた金属製のリングに挿通されており、紐の両端部には、これらを任意の位置で、固定するスライド可能な位置決め具が取り付けられているものである。
【考案の効果】
【０００５】（１）底の部分のすき間から鳥獣がごみを引き出さない。
（２）常設しないため町の美観を損なわず邪魔にならない。
（３）生ごみの汁が出た場合でも、掃除がしやすく衛生的である。
（４）人数の多少に応じたスペースを確保することにより無駄がなくなる。
（５）安価で購入しやすい。
【考案を実施するための最良の形態】
【実施例】
【０００６】  図１は、実施例の鳥獣よけごみ袋の使用前の斜視図である。図において、１はネットで作った開口部１ａのある袋である。ネットの網目の大きさは、カラスの口ばしが入らない大きさである。ネットの色は、カラスの嫌う黄色である。
２は袋１の開口部１ａを閉じる紐である。この紐２は、上記開口部１ａに一定の間隔で取り付けたステンレス製のリング３に挿通されている。紐２の両端部２ａ、２ｂには、これらを任意の位置で固定するスライド可能な位置決め具４が取り付けられている。【０００７】  図２は、その位置決め具４の拡大図である。図に示すように、両端に放射状の切り込み５を入れた筒状のものである。紐２は、滑りの良い素材で作られていて、リング３の中をスムーズに移動出来る。所定の条件を満たせばどんな紐でも良い。紐２も位置決め具４も取り替え可能である。【０００８】  図３は、ごみを入れた状態の袋の斜視図である。以上の構成により、利用者や回収者の負担が軽減され、かつ、集積場のスペースを最小にすることが出来るので、交通の妨げにならない。また、袋状になっているためカラスなど鳥獣によりごみを引き出されることがない。【０００９】  本案にかかる鳥獣よけごみ袋は、軽くて丈夫、安価、取り扱いが簡単で、ごみの量に応じたサイズを提供できる。その上設置場所は自由で最小スペースで済み、産業上の利用可能性は絶大である。
【図面の簡単な説明】
【００１０】
【図１】本考案の実施例にかかる鳥獣よけごみ袋の斜視図である。
【図２】本考案の実施例にかかる鳥獣よけごみ袋の開口部を絞って閉じ紐を任意の位置で固定するスライド可能な位置決め具の斜視図である。
【図３】本考案にかかわる鳥獣よけごみ袋の使用状態を示す斜視図である。
【符号の説明】
１          袋
１ａ        開口部
２          紐
２ａ  ２ｂ  両端部
３          リング
４          位置決め具
５          切り込み
【図１】
0003117436.tif 000003
【図２】
0003117436.tif 000004
【図３】
0003117436.tif 000005
(57)【要約】【課題】  移動、保管が容易になり、組み立て、解体の作業が手軽にでき、そのうえ格安の組立て式屋台を提供する。【解決の手段】  部品に凹凸をつけ組み立てるもので、キャスター付の土台に正面と両脇に側面板を立て、その上に販台を乗せる。販台四隅に支柱を立てる。両脇２本の支柱の上端にかもいを嵌め、屋根板２枚を設置し、屋根柱を乗せて固定する。販台正面の縁には、脱着できる試食用ミニカウンターつけたのを特徴とする組立て式屋台である。【選択図】図１
0003117434.tif 000002
【実用新案登録請求の範囲】
【請求項１】
長方形の土台の周縁に枠をつけ、裏面にはキャスターを複数個取り付け、表面は正面と両脇三辺の内側に、枠と平行に側面板をはめ込む溝を作り、側面板を立設し、側面板の上部を販台裏面の溝にはめ込み固定、販台四隅の切り抜きに、支柱を１本ずつ差し込み、土台四隅のコーナーに垂直にセット、支柱の両脇２本の上端に、三角板のかもいをそれぞれ組み込み、かもいの傾斜には屋根板を切妻造りに設置、屋根柱を乗せて固定し、販台正面の縁には脱着自在の試食用ミニカウンターをつけたのを特徴とする組立て式屋台。
【請求項２】
既製陳列台用に、土台と側面板を除く請求項１の組立て式屋台。
【考案の詳細な説明】
【技術分野】
【０００１】  本考案は、パーテイ会場やデパートの展示販売用などに利用する組立て式屋台に関するものである。
【背景技術】
【０００２】  従来、ホテルのパーテイ会場やアトラクション会場、デパートなどでは陳列用又は販売促進用として屋台が利用されているが、ほとんどが完成型で移動や保管の場所などに難点があった。【０００３】  これらを考慮した組み立て屋台が提案されている。（特許文献１参照）しかし、蝶番や木釘などを使用した組立て方式である。
【特許文献１】登録実用新案第３０１９６８０号
【考案の開示】
【考案が解決しようとする課題】
【０００４】  組立て式の屋台ではナット、ボルトなどを使ってドライバー、スパナなどの工具を必要とするものであったり、側面板を蝶番で連結するため、部品がかさ張るなどの欠点があった。また、いずれの製品も価格が高いため、手軽に利用できない難点があった。
本考案は、これらの問題点を解決するためのものである。
【課題を解決するための手段】
【０００５】  長方形の土台の周縁に枠をつけ、裏面にはキャスターを複数個取り付ける。表面は正面と両脇三辺の内側に、枠と平行に側面板をはめ込む溝を作り、側面板を立設し、側面板の上部を販台裏面の溝にはめ込み固定する。販台四隅の切り抜きに、支柱を１本ずつ差し込み、土台四隅のコーナーに垂直にセットする。支柱の両脇２本の上端に、三角板のかもいをそれぞれ組み込み、かもいの傾斜には屋根板を切妻造りに設置し、屋根柱を乗せて固定する。販台正面の縁には脱着自在の試食用ミニカウンターつける。以上を特徴とする組立て式屋台である。【０００６】  既製の陳列台用に、請求項１の土台と側面板を除き、屋根付販台とする。以上を特徴とする組立て式屋台である。
【考案の効果】
【０００７】  組立て屋台は木製品のほか竹製品、プラスチックなどの素材を利用してもよいが、本考案では桧の間伐材を使用した製品で、価格面では既製品の半額ぐらいまで廉価に屋台を提供できるようになった。部品には凹凸をつけ、補助具を使わず組み立て、解体が容易にできるようにした。さらに解体した部品は、ダンボールに収容し手軽に移動、保管ができるようにした。
【考案を実施するための最良の形態】
【０００８】  長方形の土台１の周縁に枠２をつけ、裏面にはキャスター３を複数個取り付る。表面は正面と両脇三辺の内側に、枠２と平行に側面板４をはめ込む溝５を作り、側面板４を立てる。側面板４の上部を販台６裏面の溝にはめ込み固定する。販台四隅の切り抜き７に、支柱８ａを１本ずつ差し込み、土台１四隅のコーナー９に垂直にセットする。支柱８ａの両脇２本の上端に、三角板のかもい１０をそれぞれ組み込み、かもい１０の傾斜には屋根板１１を切妻造りに設置し、屋根柱１２を乗せて固定する。販台正面の縁には、脱着自在の試食用ミニカウンター１３をつける。以上を特徴とする組立て式屋台である。【０００９】  また、既製の陳列台用に土台１、側面板４を除いた屋根付販台の利用が出来るようにした。かもい１０に組み込んだ短いサイズの支柱８ｂを、販台６の四隅にセットする。かもい１０に屋根板１１を設置し、屋根柱１２を乗せて固定する。販台正面の縁に脱着自在の試食用ミニカウンター１３をにつける。以上を特徴とする組立て式屋台である。
さらに、かもい１０には、のれんかけ用の棒穴を複数もうけ、無人のとき、人がお客と応対するときなど仕様状態によって、のれんを前後に動かせるようにした。また、のれん棒の端にはちょうちんもさげられるようにした。
【図面の簡単な説明】
【００１０】
【図１】  本考案組立て式屋台と組み立て途中の斜視図
【図２】  図１のかもいまで組み立てた屋台と部品の斜視図
【図３】  図１の土台と側面板を除いた組立て式屋台の斜視図
【符号の説明】
【００１１】      １  土台    ２  枠    ３  キャスター    ４  側面板    ５  溝
６  販台    ７  販台四隅の切り抜き    ８  支柱    ９  土台のコーナー
１０  かもい    １１  屋根板    １２  屋根柱  １３  試食用ミニカウンター
【図１】
0003117434.tif 000003
【図２】
0003117434.tif 000004
【図３】
0003117434.tif 000005
(57)【要約】      （修正有）【課題】暑さ対策省エネ対策熱中症予防対策患部を冷やす応急対策保温対策を容易にする。【解決手段】タオル１の中央部にポケット２を取り付ける。使用する時はポケットの中に、氷や保冷剤を入れることができる。このためタオルを折って首に掛けたり顔や患部を冷やすことができる。冬に使用の祭はポケットの中にホッカイロ（登録商標）を入れ首や体に巻いたり、膝の上に置いたりして保温効果を上げる事ができる。【選択図】図１
0003117439.tif 000002
【実用新案登録請求の範囲】
【請求項１】
タオルの中央部にポケットをぬいつけたことを特徴とするタオル。
【考案の詳細な説明】
【考案の詳細な説明】
【考案に属する技術分野】
【０００１】  この考案はタオルの日常的な使用に関し夏は冷たく冬は温かくの用途を容易に行うことを目的とした技術に属する。
【背景技術】
【０００２】従来のタオルでは、夏の暑さ対策として顔や首の汗をふいたりぬらしたりするだけで冷やす効果がない。又冬は首に巻くぐらいで保温の効果が少い。
【考案が解決しようとする課題】
【０００３】  本案はその欠点を除いてタオルによる夏の暑さ対策、冬の寒さ対策の効果を高め用途を広げ尚かつ利用者の簡単な方法と便利性を考え考案したものである。
【課題を解決するための手段】
【０００４】従来のタオルに以下の部材を取り付ける。
１．ポケット
【考案を実施するための最良の形態】
【０００５】  実施例を図面を用いて以下に説明する。
（イ）タオル（１）の中央部にポケット（２）を取り付ける。
本案は以上のような構造であるからこれを使用するときはポケットの中に、氷や保冷剤を入れることができる。（図２）このためタオルを折って首にかけたり顔や患部を冷やすことができる。冬に使用の際はポケットの中にホッカイロを入れ首や体に巻いたり、ひざの上に置いたりして保温効果を上げることができる。
【考案の効果】
【０００６】  したがって本考案に基づくポケット付タオルは、スポーツをする人スポーツ観戦をする人、戸外で働く人冷房のない暑い所に居る人などの暑さ対策省エネ対策熱中症の予防対策ねんざ打身の患部を冷やす応急手当ての対策などに効果を上げることができる。氷や保冷剤保温剤をポケットの中に入れることによって、移動したり落下したりすることもなく簡単に提供することができる。またタオルなのでしばって固定することもできる。通常のタオルのように顔や体を拭くのにも使用できる。
【図面の簡単な説明】
【０００７】
【図１】  本考案の全開図
【図２】  本考案の三ツ折り図
【符号の説明】
【０００８】  １．タオル
２．ポケット
【図１】
0003117439.tif 000003
【図２】
0003117439.tif 000004
(57)【要約】      （修正有）【課題】複数の道具の組み合わせではなく、単品で使用することができ、中身の流出を防いで水切りを迅速、且つ、容易にする水切り用ボウルを提供する。さらに、洗米後の炊飯器への移し替え作業を効率良く行なえるようにする。【解決手段】ボウルの上部の一部分であって、少なくとも半周以上をざる状に形成するのである。また、楕円状に形成され、突出部を有するボウルの上部の一部分であって、少なくとも半周以上をざる状に形成するのである。【選択図】図１
0003117461.tif 000002
【実用新案登録請求の範囲】
【請求項１】
ボウルの上方の一部分の少なくとも半周以上をざる状に形成した水切り用ボウル。
【請求項２】
楕円状に形成した請求項１記載の水切り用ボウル。
【考案の詳細な説明】
【技術分野】
【０００１】
本考案は米等の穀物類、豆類、麺類又は野菜等を水洗いした後水切りするボウルに関する。
【背景技術】
【０００２】
米や野菜等を水洗いしたり、水に浸漬した後に容易に水切りすることができる調理道具として、ボウルと、ボウル内に収納するざるを連結具で連結した調理器具（特開２００３−１９００２８号公報参照）、ボウルとざるの一体化セット（特開２００２−２３８７８０号公報参照）又は、外側ボウルと通水用スリットを設けた内側ボウルを組み合わせた水切りボウルセットがある。（特開平１０−２０１６４８号公報参照）
【特許文献１】特開２００３−１９００２８号公報
【特許文献２】特開２００２−２３８７８０号公報
【特許文献３】特開平１０−２０１６４８号公報
【考案の開示】
【考案が解決しようとする課題】
【０００３】
従来の水切り用ボウルは米や野菜等を洗った後、ボウルを傾けて中身が流出しないように手を添えて水切りを行っている。排水量が抑制されるため、手間がかかるし、米や豆等の粒の小さい食品は流出を完全に防ぐことができない。又、ボウルの上縁部の一部を突出させると共に網状に形成し、水の排出路を設けた水切り用ボウルがあるが、水が流れ易くなるものの、僅かな部分が網状に形成されているだけなので、排水量が限られており水切りに時間がかかる。
【０００４】
また、ざるをボウル内に重ねて使用する場合は、水を溜めて食品を洗ったり浸漬した後、ゴミ等の浮遊物を取り除き、水を切るために内側のざるを持ちあげて外側ボウルと分離し、且つ、外側ボウル内に溜まった水を排出させる必要があり、時間がかかり面倒である。特に米を磨ぐ作業はこれらの動作を数回反復することが必要であり、かなり手間のかかる作業となる。
【０００５】
上記問題を解決し食品の水切りを容易にする調理道具として特許文献１から３に記載された発明が創作されているが、これらはいずれも「ボウルとざる」或は「ボウル同士」の組み合わせであり二つの道具を嵌合させて使用するものである。従って使用前後にそれぞれを洗浄する手間や収納場所に困るといった問題点を依然有するものである。
【０００６】
そこで、本考案では、複数の道具の組み合わせではなく、単品で使用することができ、中身の流出を防いで水切りを迅速、且つ、容易にする水切り用ボウルを提供することを目的とする。
【課題を解決するための手段】
【０００７】
請求項１記載の水切りボウルは、ボウルの上部の一部分であって、少なくとも半周以上をざる状に形成するのである。
【０００８】
また、請求項２記載の水切りボウルは楕円状に形成すると共に、突出部を中心とした、ボウルの上部の一部分であって、少なくとも半周以上をざる状に形成するのである。
【考案の効果】
【０００９】
１、ボウルの上部の一部分がざる状になっているため、ボウル内に水を充分溜めて食品を
洗ったり浸漬するという効果を持続しながら、周縁部の少なくとも半周以上のざる状部から水が排出でき、水切りが容易、且つ迅速にでき、また、中身の流出も極力防ぐことができる。
２、また、ボウルを楕円状に形成することで水の排出路が形成され、排水が迅速に行われる。また、突出部が二箇所形成されるため、どちら側からでも排水が可能である。さらに、洗米後は突出部に沿って米粒を落すことなくスム−ズに炊飯器に移し替えることができるのである。
３、ボウル単体で迅速、且つ、容易な水切りが行え、洗浄等の後片付けが簡単となり、又、収納場所にも困らない。
【考案を実施するための最良の形態】
【００１０】
次に、本考案の最適な実施形態について図面を参照しながら説明する。
【００１１】
図１が請求項１記載の水切りボウル１の斜視図である。ボウル１は水を溜めるボウル部２と網状に形成されたざる部３が一体形成されている。ざる部３は網状やメッシュ状に形成し、あるいはパンチング穴を多数穿設して排水を行えるように形成されている。
【００１２】
網状に形成したざる部３がボウル１全体に占める範囲は、上縁１ａから三分の一から４分の一程度の深さが望ましいが、厳密に限定されるものではなく、ボウル全体の大きさや、使用用途によって異なり、ボウルの水を溜める機能と水切りのざるとしての機能がバランス良く発揮される比率であれば良いと考える。
【００１３】
図２に示すのは請求項１記載の水切り用ボウルの他の実施状態を示す説明図である。ボウル４は上縁４ａから三分の一程度の深さまでざる状に形成したざる部６と水を溜めるボウル部６が一体的に形成されている。このざる部６を上部の半周に亘り形成するのである。上部全周に亘り、ざる部を形成していないため、製造コストが押さえられると共に、半周にわたりざる状に形成されたざる部６から迅速、且つ、容易に水切りが行えるのである。
【００１４】
図３は請求項１記載の水切り用ボウルの他の実施例を示す説明図である。
【００１５】
ボウル７は水を溜めるボウル部８と網状に形成されたざる部９が一体形成されている。ざる部９は上縁７ａから三分の一程度の深さまで網状やメッシュ状に形成されており、あるいはパンチング穴が多数穿設されていて、排水が行える。さらに上縁の一部を突出させて突出部７ｂを形成し、排水路を形成すると共に、ボウル部８に目盛１０を形成し、水の容量や米の合数を表示する。
【００１６】
図４は請求項２記載のボウル１１の平面図である。ボウル１１は楕円状に形成されており、上縁１１ａから四分の一程度の深さまでを網状としたざる部１３、それより下を水を溜めるボウル部１２として形成する。
【００１７】
上縁部の一部を突出させて突出部１１ｂとし、水の排水路を形成し、迅速に水の排出が行えるようになっている。
【００１８】
又、洗米後は突出部１１ｂが導入部となって米粒を落すことなくスム−ズに炊飯器に移し替えることができるのである。
【産業上の利用可能性】
【００１９】
本考案は米等の穀物類、豆類、麺類又は野菜等を水洗い、あるいは浸漬した後、水切りするボウルに利用することができる。
【図面の簡単な説明】
【００２０】
【図１】請求項１記載の水切り用ボウルの斜視図。
【図２】同、他の実施状態を示す説明図。
【図３】同、他の実施状態を示す説明図。
【図４】請求項２記載の水切り用ボウルの実施状態を示す平面図。
【符号の説明】
【００２１】
１、４、７、１１、水切り用ボウル    ２、５、８、１２、ボウル部
３、６、９、１３、ざる部    ７ｂ、１１ｂ、突出部
【図１】
0003117461.tif 000003
【図２】
0003117461.tif 000004
【図３】
0003117461.tif 000005
【図４】
0003117461.tif 000006
(57)【要約】【課題】手袋をはめて車、オートバイ、自転車のハンドルを握り運転をしている状態で自然に手のひら或いは手の甲のツボを刺激して指圧を行えること。【解決手段】手のひら或いは手の甲にある無数の神経と主なツボ位置に合わせて手袋の裏側（中部分）に粒状の凸形加工を施すことで、手袋使用時に際して自然に指圧効果を得られるようにした。【選択図】図１
0003117420.tif 000002
【実用新案登録請求の範囲】
【請求項１】
手袋の裏側（中部分）に手のひら或いは手の甲全体にあるツボ位置に合わせて粒状の凸形加工を施してつくられた指圧効果を特徴とするマッサージツボ手袋。
【請求項２】
実用新案登録請求項１記載のマッサージツボ手袋は、皮革製素材を始め、合成皮革製のもの、布製生地のもの、ニット製生地のものなどを用い、粒状の凸形部分はビニール樹脂、アクリル樹脂、ゴム製素材等の原料及び磁気素材などでつくられた製品。
【請求項３】
マッサージツボ手袋は、男性用及び女性用の種類に分けて、サイズをそれぞれＳサイズ、Ｍサイズ、Ｌサイズ、ＬＬサイズ展開の製品である。
【請求項４】
マッサージツボ手袋は、指全体まで覆う型の手袋を基本に、指をカットして手のひらを中心にしたものなどの製品化も含める。
【請求項５】
マッサージツボ手袋は、身体全体あるいは部分的な諸症状に対してのツボ指圧を行えるようにつくられている。また手のひら及び手の甲両面対応ができるものや手のひら片面対応のみの製品化を行う。
【考案の詳細な説明】
【技術分野】
【０００１】本考案は、身体のあらゆる不快な症状を取り除くために手袋の裏側（中部分）に手のひら或いは手の甲のツボ位置に合わせて粒状凸形加工を施すことで、自然に指圧を行うことを可能としたものである。
【背景技術】
【０００２】従来の手袋は、手の保温、保護が主な目的であり、健康促進的なものはなかった点である。
【考案の開示】
【考案が解決しようとする課題】
【０００３】ストレスや肩凝りなどの症状、身体のあらゆる疲労を回復するため本請求項記載におけるこの考案のマッサージツボ手袋は使用することにより簡単に健康促進を行うことを課題にしている。
【課題を解決するための手段】
【０００４】マッサージツボ手袋を両手にはめて、車、オートバイ、自転車等に乗り運転することでハンドルを握り、本考案の手袋を使用することにより手のひら或いは手の甲全体のツボを刺激して自然に指圧を行えるようにした。
【考案の効果】
【０００５】全身の血行を良くして、身体の疲労やストレスや不快の諸症状に対して、健康促進を行うための指圧を誰もが簡単に自分で行うことができる。
【図面の簡単な説明】
【０００６】
【図１】マッサージツボ手袋本体の「左手裏側（中側）手の平部分」のツボ位置（左右対象になります）に粒状凸形加工部分を示す平面図である。
【図２】マッサージツボ手袋本体の「左手裏側（中側）手の甲部分」のツボ位置（左右対象になります）に粒状凸形加工部分を示す平面図である。
【符号の説明】
【０００７】（１）手袋本体（左手裏側手の平部分）
（２）指のツボ位置を示す小粒状凸形加工部分
（３）手のひらのツボ位置を示す大粒状凸形加工部分
（４）手袋本体（左手裏側手の甲部分）
（５）手の甲のツボ位置を示す大粒状凸形加工部分
【図１】
0003117420.tif 000003
【図２】
0003117420.tif 000004
【手続補正書】
【提出日】平成17年9月28日(2005.9.28)
【手続補正１】
【補正対象書類名】実用新案登録請求の範囲
【補正対象項目名】全文
【補正方法】変更
【補正の内容】
【実用新案登録請求の範囲】
【請求項１】
手袋の裏側（内側部分）に手のひら或いは手の甲にあたる全体にあるツボ位置に合わせて粒状の凸形加工を施してつくられた指圧効果を特徴とするマッサージツボ手袋。
【請求項２】
皮革製素材を始め、合成皮革製のもの、布製生地のもの、ニット製生地のものなどを用いて粒状の凸形部分はビニール樹脂、アクリル樹脂、ゴム製素材等の原料及び磁気素材などでつくられた請求項１記載のマッサージツボ手袋。
【請求項３】
請求項１記載のマッサージツボ手袋は、男性用及び女性用の種類に分けて、サイズをそれぞれＳサイズ、Ｍサイズ、Ｌサイズ、ＬＬサイズの形状を有する。
【請求項４】
請求項１記載のマッサージツボ手袋は、指全体までをおおう型の手袋、または指部分をカットして手のひらを中心にした種類の形状を有する。
【請求項５】
請求項１記載のマッサージツボ手袋は、手のひらと手の甲両面対応型、或いは手のひら片面対応型及び手の甲片面対応型の種類による形状を有する。